(57)【特許請求の範囲】
【請求項１】
容器本体の開口部を閉塞する蓋の着脱機構において、
容器本体の開口部を閉塞する蓋主体と、下部が蓋主体に回動可能に連結され、上部を内方に閉じたときに蓋主体に係合するとともに、上部を外方に開いたときに蓋主体との係合が解除される上側レバーと、上部が上側レバーの前記蓋主体との連結箇所より上方に回動可能に連結され、下部を内方に閉じたときに容器本体に係合する下側レバーとを設け、
上側レバーの上部及び下側レバーの下部を内方に閉じた状態で蓋主体を容器本体に被せて押し込んだときに下側レバーが容器本体に押されてその下部が外方に開き、この状態で下側レバーの下部を内方に閉じることにより下側レバーが容器本体に係合するとともに、
上側レバー及び下側レバーがそれぞれ蓋主体及び容器本体に係合した状態において上側レバーの上部を外方に開くことにより、上側レバーと蓋主体との係合及び下側レバーと容器本体との係合が解除され、この状態で上側レバーの上部を内方に閉じることにより下側レバーの下部が外方に開くよう構成したことを特徴とする蓋の着脱機構。
【請求項２】
係合凹部を有する耳部を設けた容器本体と、
係合突起又は係合溝を有し、前記容器本体の開口部を閉塞する蓋主体と、
下部が蓋主体に回動可能に連結されているとともに、上部に係合溝又は係合突起を有し、上部を内方に閉じたときに蓋主体の係合突起又は係合溝に前記係合溝又は係合突起が嵌合するとともに、上部を外方に開いたときに前記係合突起と係合溝との嵌合が解除される上側レバーと、
上部が上側レバーの前記蓋主体との連結箇所より上方に回動可能に連結されているとともに、下部に係合凸部を有し、下部を内方に閉じたときに容器本体の係合凹部に前記係合凸部が嵌合する下側レバーとを設け、
上側レバーの上部を閉じて係合溝又は係合突起を蓋主体の係合突起又は係合溝に嵌合させ、かつ下側レバーの下部を内方に閉じた状態で、蓋主体を容器本体に被せて押し込んだときに、下側レバーの係合凸部が容器本体の耳部に下から押されて下側レバーの下部が外方に開き、この状態で下側レバーの下部を内方に閉じることにより下側レバーの係合凸部が容器本体の係合凹部に嵌合するとともに、
上側レバーの係合溝又は係合突起が蓋主体の係合突起又は係合溝に嵌合し、かつ下側レバーの係合凸部が容器本体の係合凹部に嵌合した状態において、上側レバーの上部を外方に開くことにより、上側レバーの係合溝又は係合突起と蓋主体の係合突起又は係合溝との嵌合及び下側レバーの係合凸部と容器本体の係合凹部との嵌合が解除され、この状態で上側レバーの上部を内方に閉じることにより下側レバーの下部が外方に開くよう構成したことを特徴とする蓋の着脱機構。
【請求項３】
請求項１又は２に記載の蓋の着脱機構を備えた蓋付き容器。
【請求項４】
放射性物質収納容器である請求項３に記載の蓋付き容器。
【発明の詳細な説明】
【０００１】
【産業上の利用分野】
本発明は、容器本体の開口部を閉塞する蓋の着脱機構及び該着脱機構を用いた蓋付き容器に関し、さらに詳しくは、放射性物質収納容器に好適に使用される蓋の着脱機構及び蓋付き容器に関する。
【０００２】
【従来の技術】
医療現場で放射性医薬品を調製する手段として、図６に示す放射性物質収納容器を用いる方法がある。図６の放射性物質収納容器において、８２は容器本体、８４は容器本体８２内に配置された放射性金属充填カラムを示す。容器本体８２内のカラム８４の周囲には、放射線遮蔽金属として鉛が充填されている。また、８６は容器本体８２の開口部を閉塞する蓋、８８は生理食塩液バイアル挿入口、９０は無菌減圧バイアル挿入口、９２、９３はそれぞれ挿入口８８、９０とカラム８４との接続管を示す。本容器において、容器本体８２と蓋８６との連結は、容器本体８２に設けた凸部９６を蓋８６に設けた凹部９７に挿入することにより行われる。
【０００３】
図６の容器を用いて放射性医薬品を調製する場合、まず、生理食塩液バイアル挿入口８８に生理食塩液バイアル９８を挿入する。生理食塩液バイアル９８の挿入確認後、無菌減圧バイアル挿入口９０に無菌減圧バイアル９９を挿入する。すると、無菌減圧バイアル９９が減圧してあるために、生理食塩液バイアル９８中の生理食塩液が吸引され、カラム８４を通り、カラム８４内で生理食塩液に放射性金属が溶出され、カラム８４から流出した溶液が無菌減圧バイアル９９に充填され、放射性医薬品を得ることができる。
【０００４】
【発明が解決しようとする課題】
ところが、図６に示した放射性物質収納容器では、凸部９６と凹部９７との嵌合のみによって容器本体８２と蓋８６との連結が行われている。そのため、容器本体８２と蓋８６との連結力が弱く、落下、転倒、外部からの衝撃等によって容器にショックが加わると、蓋が容器本体から簡単に外れてしまい、放射性溶液が外部に漏洩して不必要な被爆が生じる可能性があった。
【０００５】
本発明は、上記事情に鑑みてなされたもので、落下、転倒、外部からの衝撃等によって容器にショックが加わっても、蓋が容器本体から外れることがなく、しかも容器本体と蓋の取り付け及び取り外しを簡単に行うことができる蓋の着脱機構及びそれを用いた蓋付き容器を提供することを目的とする。
【０００６】
【課題を解決するための手段】
本発明は、上記目的を達成するため、容器本体の開口部を閉塞する蓋の着脱機構において、
容器本体の開口部を閉塞する蓋主体と、下部が蓋主体に回動可能に連結され、上部を内方に閉じたときに蓋主体に係合するとともに、上部を外方に開いたときに蓋主体との係合が解除される上側レバーと、上部が上側レバーの前記蓋主体との連結箇所より上方に回動可能に連結され、下部を内方に閉じたときに容器本体に係合する下側レバーとを設け、
上側レバーの上部及び下側レバーの下部を内方に閉じた状態で蓋主体を容器本体に被せて押し込んだときに下側レバーが容器本体に押されてその下部が外方に開き、この状態で下側レバーの下部を内方に閉じることにより下側レバーが容器本体に係合するとともに、
上側レバー及び下側レバーがそれぞれ蓋主体及び容器本体に係合した状態において上側レバーの上部を外方に開くことにより、上側レバーと蓋主体との係合及び下側レバーと容器本体との係合が解除され、この状態で上側レバーの上部を内方に閉じることにより下側レバーの下部が外方に開くよう構成したことを特徴とする蓋の着脱機構を提供する。
【０００７】
この場合、本発明の着脱機構の好適な態様としては、後述する実施例に示すように、
係合凹部を有する耳部を設けた容器本体と、
係合突起又は係合溝を有し、前記容器本体の開口部を閉塞する蓋主体と、
下部が蓋主体に回動可能に連結されているとともに、上部に係合溝又は係合突起を有し、上部を内方に閉じたときに蓋主体の係合突起又は係合溝に前記係合溝又は係合突起が嵌合するとともに、上部を外方に開いたときに前記係合突起と係合溝との嵌合が解除される上側レバーと、
上部が上側レバーの前記蓋主体との連結箇所より上方に回動可能に連結されているとともに、下部に係合凸部を有し、下部を内方に閉じたときに容器本体の係合凹部に前記係合凸部が嵌合する下側レバーとを設け、
上側レバーの上部を閉じて係合溝又は係合突起を蓋主体の係合突起又は係合溝に嵌合させ、かつ下側レバーの下部を内方に閉じた状態で、蓋主体を容器本体に被せて押し込んだときに、下側レバーの係合凸部が容器本体の耳部に下から押されて下側レバーの下部が外方に開き、この状態で下側レバーの下部を内方に閉じることにより下側レバーの係合凸部が容器本体の係合凹部に嵌合するとともに、
上側レバーの係合溝又は係合突起が蓋主体の係合突起又は係合溝に嵌合し、かつ下側レバーの係合凸部が容器本体の係合凹部に嵌合した状態において、上側レバーの上部を外方に開くことにより、上側レバーの係合溝又は係合突起と蓋主体の係合突起又は係合溝との嵌合及び下側レバーの係合凸部と容器本体の係合凹部との嵌合が解除され、この状態で上側レバーの上部を内方に閉じることにより下側レバーの下部が外方に開くよう構成した蓋の着脱機構が挙げられる。
【０００８】
また、本発明は、上述した蓋の着脱機構を用いた蓋付き容器を提供する。ここで、本発明の蓋付き容器を放射性物質収納容器に構成する場合、容器本体及び蓋の材質に特に限定はないが、ＡＢＳ樹脂、塩化ビニル樹脂、ポリエチレン、ポリプロピレン、ポリスチレンを好適に用いることができ、特にＡＢＳ樹脂が好ましい。また、容器本体内に充填する放射線遮蔽金属としては、鉛などを用いることができる。
【０００９】
【作用】
本発明の蓋の着脱機構では、上側レバーの上部及び下側レバーの下部を内方に閉じた状態で蓋主体を容器本体に被せて押し込んだときに、下側レバーが容器本体に押されてその下部が外方に開き、次に下側レバーの下部を内方に閉じることにより下側レバーが容器本体に係合される。したがって、蓋主体の容器本体への押し込み及び下側カバーの内方への押圧を順次行うことにより、容器本体への蓋の取り付けを簡単に行うことができる。この場合、外方に開いた下側レバーを閉じることにより下側レバーを容器本体に係合させるので、下側レバーと容器本体との係合を確実に行うことができる。
【００１０】
また、容器本体に蓋を取り付けた状態において、上側レバーは蓋主体に係合し、下側レバーは容器本体に係合しており、２重の係合によって容器本体と蓋との連結が保護されている。したがって、落下、転倒、外部からの衝撃等によって容器にショックが加わっても、蓋が容器本体から外れることがない。しかも、上側レバーと蓋主体との係合を解除して下側レバーと容器本体との係合を解除するようにしたので、きちんとした手順を行わないと容器本体から蓋を取り外すことができないので、この点でも蓋が容器本体から外れることを防止することができる。
【００１１】
さらに、容器本体から蓋を取り外すときには、上側レバーの上部を外方に開くことにより、上側レバーと蓋主体との係合及び下側レバーと容器本体との係合が解除され、次に上側レバーの上部を内方に閉じることにより下側レバーの下部が外方に開く。したがって、下側レバーの下部に指をかけて蓋を持ち上げることにより、容器本体から簡単に蓋を取り外すことができる。
【００１２】
【実施例】
次に、実施例により本発明を具体的に示す。図１は、本発明に係る蓋付き容器の一実施例を示す斜視図であり、この蓋付き容器２は放射性物質収納容器として構成されている。本容器は、容器本体４と、容器本体４の上端開口部６を閉塞する着脱可能な蓋８とからなるもので、容器本体４及び蓋８はいずれもＡＢＳ樹脂によって形成されている。
【００１３】
容器本体４において、１０は略有底角筒状の主部を示す。主部１０の互いに対向する一対の側壁１２上にはそれぞれ突板１４が形成され、突板１４の外面にはその上縁及び両側縁に沿ってリブ１６が設けられている。また、突板１４の上縁に設けられたリブ１６上には耳部１８が突設され、この耳部１８には長方形の係合穴（係合凹部）２０が穿設されている。この場合、耳部１８において、係合穴２０の上壁面は水平面、下壁面は外方に下向傾斜した傾斜面となっている。なお、主部１０の側壁上端部の突板１４が設けられていない部分には、フランジ２２が形成されている。
【００１４】
蓋８において、２４は略有頭角筒状の蓋主体を示す。蓋主体２４の互いに対向する一対の側壁２６の下部には、それぞれ四角形の切欠凹部２８が形成されている。この切欠凹部２８は、容器本体４に蓋８を取り付けたときに前記リブ１６が挿入される部分であり、リブ１６を挿入したときに該切欠凹部２８の周面とリブ１６の外面とが接するようになっている。
【００１５】
蓋主体２４の上端と切欠凹部２８との間には、四角形のレバー取付凹部３０が形成され、このレバー取付凹部３０内に上側レバー３２及び下側レバー３４が配置されている。
【００１６】
上側レバー３２は、図２、図３に示すように、円弧板状の正面壁３５と、下端が正面壁３５の下方に延出した両側壁３６とからなるもので、蓋主体２４のレバー取付凹部３０の両側面部に前記両側壁３６の下部がピン３８により回動可能に連結されている。なお、図中３９は上記連結に用いるピン穴を示す。
【００１７】
また、上側レバー３２の正面壁３５の上部内面には、浅溝状の係合溝４０が設けられているとともに、蓋主体２４のレバー取付凹部３０の背面部４１には、上面に係合突起４２を有する突板４４が突設されている。そして、上側レバー３２の上部を内方に閉じ、レバー取付凹部３０の背面部４１に上側レバー３２の内面を当接させたときに、前記係合溝４０に係合突起４２が嵌合して上側レバー３２が蓋主体２４に係合するとともに、上側レバー３２の上部を外方に開くことにより、係合溝４０から係合突起４２が抜けて上側レバー３２と蓋主体２４との係合が解除されるようになっている。なお、蓋主体２４の上面には、上側レバー３２を開くときに指を入れるための一対のくぼみ４３がレバー取付凹部３０に隣接して形成されている。
【００１８】
下側レバー３４は、図２、図３に示すように、平板状の正面壁４６と、上端が正面壁４６の上方に延出した両側壁４８とからなるもので、両側壁４８は上側レバー３２の両側壁３６の内側に挿入されているとともに、両側壁４８の上部は上側レバーの両側壁３６の前記蓋主体２４との連結箇所より上方にピン５０により回動可能に連結されている。なお、図中５２、５４は上記連結に用いるピン穴を示す。
【００１９】
下側レバー３４の正面壁４６の内面には、係合凸部５６が設けられている。この場合、下側レバー３４の下部を内方に閉じた状態において、係合凸部５６の上面は水平面、下面は外方に下向傾斜した傾斜面となる。そして、下側レバー３４の下部を内方に閉じたときに容器本体４の係合穴２０に係合凸部５６が嵌合し、係合凸部５６の上面と係合穴２０の上壁面とが当接して下側レバー３４が容器本体４に係合する。なお、上側レバー３２の正面壁３５の下端には一対の切り込み５７が形成され、下側レバー３４の下部を外方に開いたときに、下側レバー３４の両側壁４８が上記切り込み５７内に入るようになっている。
【００２０】
蓋８を容器本体４に取り付けていない状態において、上側レバー３２及び下側レバー３４を内方に閉じた状態から上側レバー３２の上部を外方に開くと、ピン３８を支点として上側レバー３２及び下側レバー３４が一体に外方に開く。また、上側レバー３２及び下側レバー３４を内方に閉じた状態から下側レバー３４の下部を外方に開いても上側レバー３２は動かないが、下側レバー３４の下部を内方に押すと、ピン３８を支点として上側レバー３２及び下側レバー３４が一体に外方に開く。
【００２１】
なお、図１において、６０は生理食塩液バイアル挿入部、６２は減圧バイアル挿入部を示す。また、図示していないが、容器本体４内には、図６に示した容器と同様に放射性金属充填カラム、放射線遮蔽金属、接続管等が設置されている。
【００２２】
本実施例の蓋付き容器２において、蓋８の取り付け及び取り外しは下記のように行う。
［蓋８の取り付け：図４（Ａ）〜（Ｃ）参照］
▲１▼  蓋８の上側レバー３２の上部を内方に閉じ、係合溝４０に係合突起４２を入れて上側レバー３２を蓋主体２４に係合する。この状態では、下側レバー３４の下部は重力によって内方に閉じた状態になる（図４（Ａ））。この状態において、蓋主体２４の側面、上側レバー３２の外面及び下側レバー３４の外面はほぼ同一平面となり、レバー３２、３４はレバー取付凹部３０内に納まっている。
【００２３】
▲２▼  ▲１▼の状態で蓋８を容器本体４に被せ、蓋８を下に押し込む。このとき、下側レバー３４の係合凸部５６が耳部１８の上端面によって下から押されるが、下側レバー３４はピン５０を支点として回動可能であり、かつ係合凸部５６の下面は外方に下向傾斜した傾斜面であるため、下側レバー３４の下部は耳部１８の押圧力によって外方に開き（図４（Ｂ））、耳部１８は下側レバー３４とレバー取付凹部３０の背面部４１とで挟まれる。この状態において、係合凸部５６の先端部は耳部１８の上壁部（係合穴２０の上方の部分）に当接している。なお、上側レバー３２は動かずそのままである。
【００２４】
▲３▼  ▲２▼の状態から下側レバー３４の下部を内方に押す。すると、係合凸部５６の先端部と耳部１８の上壁部との当接力に抗して下側レバー３４の下部が内方に回動し、係合凸部５６が耳部１８の係合穴２０に入り、係合凸部５６の上面と係合穴２０の上壁面とが当接して、下側レバー３４が容器本体４に係合する。これにより、蓋の係合溝４０と係合突起４２とが係合し、かつ容器本体４の係合穴２０と蓋８の係合凸部５６とが係合した状態となり、容器本体４に蓋８が取り付けられる（図４（Ｃ））。この状態において、容器本体４のリブ１６は蓋部８の切欠凹部２８内に納まっている。
【００２５】
上記▲３▼の状態において、下側レバー３４の下方には該下側レバー３４とほぼ接触した状態でリブ１６が存在し、かつ下側レバー３４の下部はリブ１６から外方に出っ張っていないので、下側レバー３４の下部は指等を引っかけて開くことはできない。そのため、後述するように上側レバー３２の上部を外方に開かない限り、下側レバー３４を開くことはできない。また、▲３▼の状態において、耳部１８は下側レバー３４とレバー取付凹部３０の背面部４１とできっちりと挟まれるので、容器本体４に蓋８がしっかりと取り付けられる。さらに、上側レバー３２及び下側レバー３４の内面はレバー取付凹部３０の背面部４１に当接するので、両レバー３２、３４がぱたぱたと動くようなことがない。
【００２６】
［蓋８の取り外し：図５（Ａ）〜（Ｃ）参照］
▲４▼  ▲３▼の状態において、上側レバー３２の上部を外方に開く。これにより、係合溝４０から係合突起４２が抜けて上側レバー３２と蓋主体２４との係合が解除される。また、下側レバー３４が上側レバー３２と一緒に外方に動き、係合穴２０から係合凸部５６が抜けて下側レバー３４と容器本体４との係合が解除される（図５（Ａ））。
【００２７】
▲５▼  ▲４▼の状態において、上側レバー３２の上部を内方に閉じ、係合溝４０に係合突起４２を入れて上側レバー３２を蓋主体２４に係合する。このとき、係合凸部５６の先端部は上方にやや動き、耳部１８の上壁部に当接するため、下側レバー３４は内方に回動しない。したがって、上側レバー３２と下側レバー３４との角度は▲４▼の状態のときの角度に保持されるので、下側レバー３４は下部が外方に開いた状態となる（図５（Ｂ））。
【００２８】
▲６▼  飛び出した下側レバー３４の下部に指をかけて蓋８を持ち上げると、容器本体４には放射線遮蔽金属等が充填されており、重量があるため、蓋８のみが持ち上がり、蓋８を取り外すことができる（図５（Ｃ））。
【００２９】
なお、本発明の蓋付き容器において、容器本体、蓋主体、上側レバー及び下側レバーの形状及び構造、上側レバーと蓋主体との連結態様、上側レバーと下側レバーとの連結態様、上側レバーと蓋主体との係合態様、下側レバーと容器本体との係合態様等は上記実施例に限定されない。例えば、上記実施例では上側レバーに係合溝、蓋主体に係合突起を設けたが、上側レバーに係合突起、蓋主体に係合溝を設けてもよい。また、その他の構成についても本発明の要旨を逸脱しない範囲で種々変更可能である。
【００３０】
【発明の効果】
本発明の蓋の着脱機構及び蓋付き容器によれば、落下、転倒、外部からの衝撃等によって容器にショックが加わっても、蓋が容器本体から外れることがなく、しかも容器本体と蓋の取り付け及び取り外しを簡単に行うことができる。
【図面の簡単な説明】
【図１】本発明に係る蓋付き容器の一実施例を示す斜視図である。
【図２】同容器の上側レバー及び下側レバーを示す斜視図である。
【図３】同容器の上側レバー及び下側レバーを示す斜視図である。
【図４】同容器の蓋を取り付ける状態を示す概略図である。
【図５】同容器の蓋を取り外す状態を示す概略図である。
【図６】従来の放射性物質収納容器の一例を示す断面図である。
【符号の説明】
２  蓋付き容器
４  容器本体
８  蓋
１８  耳部
２０  係合穴（係合凹部）
２４  蓋主体
３２  上側レバー
３４  下側レバー
３８  ピン
４０  係合溝
４２  係合突起
５０  ピン
５６  係合凸部
【図１】
0003601623.tif 000002
【図２】
0003601623.tif 000003
【図３】
0003601623.tif 000004
【図４】
0003601623.tif 000005
【図５】
0003601623.tif 000006
【図６】
0003601623.tif 000007